(57)【要約】【課題】  携帯に不便で、収納にスペースを大きく占用しない、人体脈波検出方法利用薄型電子入力装置を提供する。【解決手段】  薄片層１０と、印刷電気回路基板導電層２０と、被覆層３０と、フォント表示層４０と、ＩＣコントロール・ユニット５０と、接続ユニット６０とからなり、その中、薄片層１０として紙や不織布などの巻回収納可能な薄片状材料からなり、その外形がニーズに応じて長方形や他の形状などに製造され、その薄片層１０が最も下方の位置に配置され、印刷電気回路導電層２０と被覆層３０とフォント表示層４０などを載置する。【選択図】      図２ 
0003102333.tif 000002
【実用新案登録請求の範囲】
【請求項１】
巻回収納可能な薄片材からなる薄片層と、
人体の生成する脈波電流を検出でき、前記薄片層に重ねられる印刷電気回路導電層と、
前記印刷電気回路導電層に重ねられる被覆層と、
前記被覆層に重ねられ、ボタン・フォントが印刷してあるフォント表示層と、
前記印刷電気回路導電層と電気的に接続されるＩＣコントロール・ユニットと、
前記印刷電気回路導電層と電気的に接続される接続ユニットとを備えていることを特徴とする人体脈波検出方法利用薄型電子入力装置。
【請求項２】
前記薄片層として紙または不織布からなるものを使用することを特徴とする請求項１に記載の人体脈波検出方法利用薄型電子入力装置。
【請求項３】
前記ＩＣコントロール・ユニットが前記印刷電気回路導電層に設けられることを特徴とする請求項１に記載の人体脈波検出方法利用薄型電子入力装置。
【請求項４】
電子情報装置に取り付けられる、人体脈波検出方法利用薄型電子入力装置において、
巻回収納可能な薄片材からなる薄片層と、
人体の生成する脈波電流を検出でき、前記薄片層に重ねられる印刷電気回路導電層と、
前記印刷電気回路導電層に重ねられる被覆層と、
前記被覆層に重ねられ、ボタン・フォントが印刷してあるフォント表示層と、
前記印刷電気回路導電層と電気的に接続されるＩＣコントロール・ユニットと、
前記印刷電気回路導電層と前記電子情報装置と電気的に接続される接続ユニットとを備えていることを特徴とする人体脈波検出方法利用薄型電子入力装置。
【請求項５】
前記薄片層として紙または不織布からなるものを使用することを特徴とする請求項４に記載の人体脈波検出方法利用薄型電子入力装置。
【請求項６】
前記ＩＣコントロール・ユニットが前記印刷電気回路導電層に設けられることを特徴とする請求項４に記載の人体脈波検出方法利用薄型電子入力装置。
【請求項７】
前記ＩＣコントロール・ユニットが前記電子情報装置内にビルド・インされることを特徴とする請求項４に記載の人体脈波検出方法利用薄型電子入力装置。
【請求項８】
前記接続ユニットが前記電子情報装置内の電気回路と、固定または離脱可能な方式によって電気的に接続されることを特徴とする請求項４に記載の人体脈波検出方法利用薄型電子入力装置。
【請求項９】
前記薄型電子入力装置が前記電子情報装置内に柔軟的に巻回収納されることを特徴とする請求項４に記載の人体脈波検出方法利用薄型電子入力装置。
【請求項１０】
前記薄型電子入力装置が前記電子情報装置の外部に柔軟的に巻回配置されることを特徴とする請求項４に記載の人体脈波検出方法利用薄型電子入力装置。
【考案の詳細な説明】
【技術分野】
【０００１】
本考案は、人体脈波検出方法利用薄型電子入力装置に係わり、特にパーソナル・デジタル・アシスタント（ＰＤＡ）や携帯電話や電子書籍やタブレット・パーソナル・コンピュータなどの電子情報装置に取り付けられる薄型電子入力装置に関するものである。
【背景技術】
【０００２】
パーソナル・デジタル・アシスタント（ＰＤＡ）は、一種の新規なポータブル・コンピュータであり、その体積がノートブック・タイプ・コンピュータより遥かに小さく形成され、手のひらに置いて操縦でき、近年では、ますます人々に愛着されてきており、且つそれを使用する人数もますます増加してゆく傾向が見られている。
【０００３】
パーソナル・デジタル・アシスタントには、多くのファンクションを有し、専ら外地で仕事する人々のために設計したものであり、それには、数万以上のパーソナル情報を記憶でき、例えば通信情報やスケージュールや実行待機事項やメモなどを記憶できる。ユーザーがある人の電話番号を探し出そうとする場合、パーソナル・デジタル・アシスタントが速やかに探そうとする情報を繰り出すことが出来、めちゃくちゃにノートをめくる必要がなくなり、また、名刺情報を探し出そうとする場合、名刺チャックをさがす必要がなく、単にパーソナル・デジタル・アシスタントにおいて軽く二回クリックすれば、気軽に以前入力した名刺の資料をデータベースから繰り出すことが出来、迅速で確実である。
【０００４】
図１に示すように、ペン・タイプ・インプット方式を採用する場合、例えば、パーソナル・デジタル・アシスタントや携帯電話や電子書籍やタブレット・パーソナル・コンピュータなどの電子情報装置１００の場合では、すべてタッチ・パネル（または電磁気検出式デジタル・プレート）１０１を使用できる。その使用時に、特別なインプット・ペン１０２を合せて使用する必要があり、そのインプット・ペン１０２によって入力を実行する。インプット・ペンの形式が多いが、その使用時に、大体タッチ・パネル１０１の面積が小さいことに制限され、その操作が不便な場合さえあるなどの課題を有し、且つその識別率が好ましくなく、特に大量に文字を入力する場合にかなり不便な場合がある。
【０００５】
従来では、既にサウンド・コントロール・インプットの方式が提案されているが、それぞれの国とそれぞれの個人の発音の異なることに制限されて、その使用には制限があり、且つ同様に識別率が好ましくない課題を有する。従来では、キーボードは使用が便利であると共に、識別が優れた入力手段として認識されているが、その体積があまりにも大きくて、パーソナル・デジタル・アシスタントや携帯電話や電子書籍などのポータブル・タイプ・エレクトロニック・デバイスに使用される場合、携帯に不便であり、収納に大きいスペースを占用するなどの課題を有する。
【０００６】
そのため、前記の説明から分かるように、前記の従来のインプット・デバイスの場合では、実際に使用される場合に、明らかにその不便さと課題を有し、至極改善される必要がある。
【考案の開示】
【考案が解決しようとする課題】
【０００７】
本考案は、展開後に大きいほうの面積を有し、字体表示層のそれぞれのボタンのフォントがタッチしやすく、操作が便利で、優れた識別率を有し、不使用または携帯時に電子情報装置内にまたはその外部に巻回収納でき、そのため、携帯に不便で、収納にスペースが大きく占用される課題を有しないことを特徴とする、人体脈波検出方法利用薄型電子入力装置を提供することをその主要な解決しようとする課題とする。
【課題を解決するための手段】
【０００８】
前記の目的を図るために、本考案による“人体脈波検出方法利用薄型電子入力装置”には、巻回収納可能な薄片状の材質からなる、薄片層と、人体の生成する脈波電流を検出でき、前記薄片層に重ねられる、印刷電気回路導電層と、前記印刷電気回路導電層に重ねられる被覆層と、前記被覆層に重ねられ、ボタン・フォントが印刷されるフォント表示層と、前記印刷電気回路導電層に電気的接続されるＩＣコントロール・ユニットと、前記印刷電気回路導電層と電気的に接続される接続ユニットとを備えている。
【０００９】
本考案の特徴とその技術内容をさらに詳しく解明するために、以下に添付図面を参照しながら、本考案の好適な実施の形態を詳細的で具体的に説明するが、それらの説明と図面の開示による構造は単に本考案を説明することに利する優れた実施可能な実施の形態に過ぎず、本考案の権利主張範囲を狭義的に制限するものではないことは言うまでもない。
【考案を実施するための最良の形態】
【００１０】
図２と図３に示すように、本考案は、一種の人体脈波検出方法利用薄型電子入力装置を提供し、それには、薄片層１０と、印刷電気回路基板導電層２０と、被覆層３０と、フォント表示層４０と、ＩＣコントロール・ユニット５０と、接続ユニット６０とからなり、その中、薄片層１０として紙や不織布などの巻回収納可能な薄片状材料からなり、その外形がニーズに応じて長方形や他の形状などに製造され、その薄片層１０が最も下方の位置に配置され、印刷電気回路導電層２０と被覆層３０とフォント表示層４０などを載置する。
【００１１】
印刷電気回路導電層２０がインキ塗布または圧着結合の技術によって作製されるものであり、それが薄片層１０に重ねられ、その印刷電気回路導電層２０には結晶ワイヤ（導電体）２１からなる電気回路が形成されている。
【００１２】
被覆層３０が巻回収納可能な薄片状材質からなり、それが印刷電気回路導電層２０に重ねられ、被覆層３０が印刷電気回路導電層２０を覆い、その導電層２０における電気回路を保護する。
【００１３】
フォント表示層４０が巻回収納可能な薄片状材質からなり、それが被覆層３０に重ねられ、フォント表示層４０には一般のキーボードのようなそれぞれのボタン・フォント４１（例えば、アルファベットやカタカナや平仮名や数字や符号など）が印刷されている。
【００１４】
ＩＣコントロール・ユニット５０が印刷電気回路導電層２０に配置され、ＩＣコントロール・ユニット５０が印刷電気回路導電層２０と電気的に接続される。他に、ＩＣコントロール・ユニット５０も電子情報装置内にビルド・インできる。
【００１５】
接続ユニット６０は印刷電気回路導電層２０の一端に配置され、接続ユニット６０が印刷電気回路導電層２０と電気的接続を達成でき、接続ユニット６０が電子情報装置７０（図４参照）の内部の電気回路と電気的に接続でき、接続ユニット６０がコネクタや信号コードなどの固定式または離脱可能な方式によって電子情報装置７０内部の電気回路と電気的に接続できる。それらの薄片層１０と印刷電気回路導電層２０と被覆層３０とフォント表示層４０が一体になるように積み重ねられ、且つ適当に一体になるように結合される。前記のそれぞれの構成によって本考案の人体脈波検出方法利用薄型電子入力装置を形成する。
【００１６】
図４に示すように、本考案の薄型電子入力装置がパーソナル・デジタル・アシスタント（ＰＤＡ）や携帯電話や電子書籍やタブレット・パーソナル・コンピュータなどの電子情報装置７０に取り付けられ、且つ薄片層１０と印刷電気回路導電層２０と被覆層３０とフォント表示層４０などがすべて巻回収納できるので、薄型電子入力装置が柔軟的に電子情報装置７０の内部または外部に巻回収納でき、携帯に便利である。
【００１７】
フォント表示層４０におけるボタン・フォント４１が人体にタッチされる場合に、人体の生成する５０〜６０Ｈｚの周波数の脈波電流によって、印刷電気回路導電層２０に検出され、そのタッチ信号を取得し、それによって情報を入力する目的を図る。
【産業上の利用可能性】
【００１８】
本考案の薄型電子入力装置が展開後に、大きいほうの面積を有し、フォント表示層４０のそれぞれのフォント４１がタッチしやすく、操作に便利な優れた点を有し、且つその識別率がかなり高く、その入力方式が一般のキーボードと同様であり、大量に文字を入力する場合に特に便利である。
【００１９】
また、本考案の薄型電子入力装置は、不使用時に、または携帯される際に、電子情報装置７０の内部または外部に巻回収納できるので、携帯不便や収納に大きなスペースを占用するなどの不好適な課題を有しない。
【００２０】
しかしながら、前記に説明したのは、単に本考案の実施可能な実施例に過ぎず、本考案の主張範囲を限るものではなく、本考案の明細書と図面に開示された技術内容の要旨に基づいて実施されるすべての相同効果の改造や変更や一部転用などがすべて本考案の主張範囲内に納入されるべきことは言うまでもない。
【図面の簡単な説明】
【００２１】
【図１】従来の電子情報装置を示す斜視図である。
【図２】本考案を示す分解斜視図である。
【図３】本考案を示す組立斜視図である。
【図４】本考案は電子情報装置に取り付けられる場合を示す斜視図である。
【符号の説明】
【００２２】
１０  薄片層
２０  印刷電気回路導電層
２１  結晶ワイヤ
３０  被覆層
４０  フォント表示層
４１  ボタン・フォント
５０  ＩＣコントロール・ユニット
６０  接続ユニット
７０  電子情報装置
【図１】
0003102333.tif 000003
【図２】
0003102333.tif 000004
【図３】
0003102333.tif 000005
【図４】
0003102333.tif 000006